【手続補正書】
【提出日】平成17年6月28日(2005.6.28)
【手続補正１】
【補正対象書類名】明細書
【補正対象項目名】特許請求の範囲
【補正方法】変更
【補正の内容】
【特許請求の範囲】
【請求項１】
根音データ、タイプデータ及びアヴェイラブルノートスケールデータを１組に含んでなる和音データを１つの和音データとして供給する演奏データ供給手段と、
この演奏データ供給手段から供給される和音データに基づいて、適切なテンションノートの付加された演奏データを作成する演奏データ作成手段と
を具備することを特徴とする自動演奏装置。
【請求項２】
伴奏に関するパターンデータを記憶するパターン記憶手段と、
根音データ、タイプデータ及びアヴェイラブルノートスケールデータを１組に含んでなる和音データを１つの和音データとして供給する演奏データ供給手段と、
前記パターン記憶手段から前記パターンデータを読み出し、それを前記自動演奏データ供給手段から供給される前記和音データに基づいて変換し、適切なテンションノートの付加された演奏データを作成する演奏データ作成手段と
を具備することを特徴とする自動演奏装置。
【請求項３】
根音データ、タイプデータ及びアヴェイラブルノートスケールデータを１組に含んでなる和音データを１つの和音データとして供給する和音データ供給手段と、
一連の演奏データを供給する演奏データ供給手段と、
前記演奏データ供給手段から供給される前記演奏データに対応した別の演奏データであって、適切なテンションノートの付加された演奏データを前記和音データ供給手段から供給される前記和音データに基づいて作成する演奏データ作成手段と
を具備することを特徴とする自動演奏装置。
【請求項４】
根音データ、タイプデータ及びアヴェイラブルノートスケールデータを１組に含んでなる和音データを含む演奏データを供給する演奏データ供給手段と、
この演奏データ供給手段から供給される和音データのうち、根音データ及びアヴェイラブルノートスケールデータに基づいて、前記演奏データに対応した楽譜の表示を行う楽譜表示手段であって、該楽譜表示を前記アヴェイラブルノートスケールに対応した音関係となるように臨時記号を付して行うものと
を具備することを特徴とする自動演奏装置。
【請求項５】
根音データ、タイプデータ及びアヴェイラブルノートスケールデータを１組に含んでなる和音データを１つの和音データとして供給するステップと、
供給される前記和音データに基づいた、適切なテンションノートの付加された演奏データを作成するステップと
からなることを特徴とする自動演奏方法。
【請求項６】
伴奏に関するパターンデータを予め記憶するステップと、根音データ、タイプデータ及びアヴェイラブルノートスケールデータを１組に含んでなる和音データを１つの和音データとして供給するステップと、
記憶されている前記パターンデータを読み出し、それを順次供給される前記和音データに基づいて変換し、適切なテンションノートの付加された演奏データを作成するステップと
からなることを特徴とする自動演奏方法。
【請求項７】
根音データ、タイプデータ及びアヴェイラブルノートスケールデータを１組に含んでなる和音データを１つの和音データとして供給すると共に一連の演奏データをも併せて供給するステップと、
前記一連の演奏データに対応した別の演奏データであって、適切なテンションノートの付加された演奏データを前記和音データに基づいて作成するステップと
からなることを特徴とする自動演奏方法。
【請求項８】
根音データ、タイプデータ及びアヴェイラブルノートスケールデータを１組に含んでなる和音データを含む演奏データを供給するステップと、
前記ステップで供給される和音データのうち、根音データ及びアヴェイラブルノートスケールデータに基づいて、前記演奏データに対応した楽譜の表示を行うステップであって、該楽譜表示を前記アヴェイラブルノートスケールに対応した音関係となるように臨時記号を付して行うものと
からなることを特徴とする自動演奏方法。
【請求項９】
請求項５、６、７又は８に記載の自動演奏方法をコンピュータで実現するためのソフトウェアプログラムを記憶してなる、機械によって読取り可能な記録媒体。
【手続補正２】
【補正対象書類名】明細書
【補正対象項目名】０００５
【補正方法】変更
【補正の内容】
【０００５】
【課題を解決するための手段】  第１の発明に係る自動演奏装置は、根音データ、タイプデータ及びアヴェイラブルノートスケールデータを１組に含んでなる和音データを１つの和音データとして供給する演奏データ供給手段と、この演奏データ供給手段から供給される和音データに基づいて、適切なテンションノートの付加された演奏データを作成する演奏データ作成手段とを具備するものである。
第２の発明に係る自動演奏装置は、伴奏に関するパターンデータを記憶するパターン記憶手段と、根音データ、タイプデータ及びアヴェイラブルノートスケールデータを１組に含んでなる和音データを１つの和音データとして供給する演奏データ供給手段と、前記パターン記憶手段から前記パターンデータを読み出し、それを前記自動演奏データ供給手段から供給される前記和音データに基づいて変換し、適切なテンションノートの付加された演奏データを作成する演奏データ作成手段とを具備するものである。
第３の発明に係る自動演奏装置は、根音データ、タイプデータ及びアヴェイラブルノートスケールデータを１組に含んでなる和音データを１つの和音データとして供給する演奏データ供給手段と、一連の演奏データを供給する演奏データ供給手段と、前記演奏データ供給手段から供給される前記演奏データに対応した別の演奏データであって、適切なテンションノートの付加された演奏データを前記和音データ供給手段から供給される前記和音データに基づいて作成する演奏データ作成手段とを具備するものである。
第４の発明に係る自動演奏装置は、根音データ、タイプデータ及びアヴェイラブルノートスケールデータを１組に含んでなる和音データを含む演奏データを供給する演奏データ供給手段と、この演奏データ供給手段から供給される和音データのうち、根音データ及びアヴェイラブルノートスケールデータに基づいて、前記演奏データに対応した楽譜の表示を行う楽譜表示手段であって、該楽譜表示を前記アヴェイラブルノートスケールに対応した音関係となるように臨時記号を付して行うものとを具備する。
【手続補正３】
【補正対象書類名】明細書
【補正対象項目名】０００７
【補正方法】変更
【補正の内容】
【０００７】
第５の発明に係る自動演奏方法は、根音データ、タイプデータ及びアヴェイラブルノートスケールデータを１組に含んでなる和音データを１つの和音データとして供給するステップと、供給される前記和音データに基づいた、適切なテンションノートの付加された演奏データを作成するステップとからなるものである。
第６の発明に係る自動演奏方法は伴奏に関するパターンデータを予め記憶するステップと、根音データ、タイプデータ及びアヴェイラブルノートスケールデータを１組に含んでなる和音データを１つの和音データとして供給するステップと、記憶されている前記パターンデータを読み出し、それを順次供給される前記和音データに基づいて変換し、適切なテンションノートの付加された演奏データを作成するステップとからなるものである。
第７の発明に係る自動演奏方法は、根音データ、タイプデータ及びアヴェイラブルノートスケールデータを１組に含んでなる和音データを１つの和音データとして供給すると共に一連の演奏データをも併せて供給するステップと、前記一連の演奏データに対応した別の演奏データであって、適切なテンションノートの付加された演奏データを前記和音データに基づいて作成するステップとからなるものである。
第８の発明に係る自動演奏方法は、根音データ、タイプデータ及びアヴェイラブルノートスケールデータを１組に含んでなる和音データを含む演奏データを供給するステップと、前記ステップで供給される和音データのうち、根音データ及びアヴェイラブルノートスケールデータに基づいて、前記演奏データに対応した楽譜の表示を行うステップであって、該楽譜表示を前記アヴェイラブルノートスケールに対応した音関係となるように臨時記号を付して行うものとからなるものである。
第５乃至第８の発明に係る自動演奏方法は、前述の第１乃至第４の発明に係る自動演奏装置に対応したものである。
第９の発明に係る記憶媒体は、第５乃至第８の発明に係る自動演奏方法をコンピュータで実現するためのソフトウェアプログラムを記憶してなる、機械によって読取り可能な記録媒体に関するものである。
【手続補正４】
【補正対象書類名】明細書
【補正対象項目名】００３２
【補正方法】変更
【補正の内容】
【００３２】
次に、Ａセブンス（ハーモニックマイナーＰ５↓）コードの下でＦ４（２分音符）に対応する鍵が操作されると、同じくステップ７３でノートオンイベントに基づいた発音が行われると共にステップ７５で図１０（ａ）のようなＣシャープ３（長３度音）、Ｇ３（短７度音）、Ｂフラット３（フラット９ｔｈ音）からなる密集ブロックコードが作成される。図１０（ｂ）の場合には、Ｃシャープ３（長３度音）、Ｇ３（短７度音）、Ａ３（ルート音）からなる密集ブロックコードが作成される。Ａセブンスは属七和音なので、前述のようにアヴェイラブルノートスケールの種類に応じてフラット９ｔｈ音、ナチュラル９ｔｈ音、シャープ９ｔｈ音、シャープ１１ｔｈ音、フラット１３ｔｈ音、ナチュラル１３ｔｈ音、シャープ１３ｔｈ音などのテンションノートを付加することが可能である。これは、この実施の形態のように、和音イベントデータにアヴィイラブルノートスケールに関するデータを有するからである。従って、従来のようにアヴェイラブルノートスケールを参照できないものにおいては、付加可能な音はその和音構成音（Ａ（ルート音）、Ｃシャープ（長３度音）、Ｅ（完全５度音）及びＧ（短７度音））だけである。従って、従来の自動演奏装置では、図１０（ｂ）のような密集ブロックコードしか作成できないことになる。これに対して、この実施の形態に係る自動演奏装置では、アヴェイラブルノートスケールを適宜変更することによって作成される密集ブロックコードが種々変化し、バラエティに富んだ美しいボイシングを行うことができる。